(57)【特許請求の範囲】
【請求項１】
ボール球面上に多数のディンプルを有するゴルフボールにおいて、直径及び／又は深さが異なるディンプルを２〜６種用い、その総数が３８２〜４２２個、ディンプルの表面占有率が７７．３６〜７９．００％、ディンプルの総容積が３０３〜３５０ｍｍ3の範囲であり、ボールの赤道面の中心を通り、かつボールの両極点を結んだ回転軸を中心として、ディンプルが上記回転軸を中心にして６０°または１８０°回転対称に配置されると共に、該ディンプルと交差しない大円線が存在しないようにディンプルがボール表面上に配置されてなり、かつ一半球上のディンプルの一部が他半球側にはみ出すようにディンプルが形成され、そのはみ出し量が赤道面を基準にして上記ディンプルの直径の１０〜５０％の範囲内であることを特徴とするゴルフボール。
【請求項２】
ボールの両極点から赤道線までのボールの経線を孤としたとき、該孤を中心にして線対称にディンプルが配置された請求項１記載のゴルフボール。
【請求項３】
上記孤がボールの半球に６０°毎に配置されて合計６本有する請求項２記載のゴルフボール。
【請求項４】
上記赤道線と交差するディンプルの個数が４〜３２個である請求項１〜３のいずれか１項記載のゴルフボール。
【請求項５】
赤道線と交差するディンプル部分が、ボール成形に際し、ディンプルの縁に沿って凹凸に形成されたパーティングを有する分割金型により形成された請求項１〜４のいずれか１項記載のゴルフボール。
【請求項６】
ディンプルの直径が３．１０〜３．９５ｍｍであり、かつディンプルの深さが０．１３０〜０．１７０ｍｍである請求項１〜５のいずれか１項記載のゴルフボール。
【請求項７】
ボールの赤道線上に配置されるディンプル又は赤道線から上下３０°の範囲内にある赤道線近傍に配置されるディンプルは、他の区域における同じ直径のディンプルの深さよりも５〜６０μｍの範囲内で深く形成される請求項１〜６のいずれか１項記載のゴルフボール。
【請求項８】
ボールの赤道線から上下３０°の範囲内にある赤道線近傍に配置されるディンプルの容積が他のディンプルの容積よりも２〜３０％大きい請求項１〜７のいずれか１項記載のゴルフボール。
【請求項９】
コアにポリウレタンからなる樹脂カバーを被覆したツーピースソリッドゴルフボールである請求項１〜８のいずれか１項記載のゴルフボール。
【請求項１０】
コアとポリウレタンからなる樹脂カバーとの間に単層又は２以上の複合層の中間層を介在させた３層構造以上となるマルチピースソリッドゴルフボールである請求項１〜９のいずれか１項記載のゴルフボール。
【発明の詳細な説明】
【０００１】
【発明の属する技術分野】
本発明は、飛び性能及び飛びの均一性に優れたゴルフボールに関するものである。
【０００２】
【従来の技術及び発明が解決しようとする課題】
ゴルフボールの表面には、通常多数のディンプルが配置されているが、これらディテンプルは、配置態様によって飛び性能に大きく影響を及ぼすものであるから、種々のディンプルの形状や配置方法が試みられている。例えば、ボール表面に複数種のディンプルを用い、ボール球面を２０面体、１２面体、８面体等の多面体とみなしてこれら多面体を三角形等の多角形に均等に分割し、ディンプルを均等分割された多角形をユニットとして、球面全体に拡大配置する配列方法が一般に採用されている。
【０００３】
このようなディンプルの配列方法は、ボール球面にディンプルを均等に配置し得る点で効果的な方法ではあるが、ディンプル配置の自由度が決して大きいものとは言えない。即ち、均一に配置しなければならないという点から各多角形ユニット内のディンプルの配列に一定の限界がある。
【０００４】
一方、ゴルフボールを射出成形して製造する場合には、ディンプルの型を付けるためのディンプル形成用突起を金型のキャビテイー内壁面に多数設けなければならないが、上下型の金型分割面とキャビティーにて形成されるボールの赤道面とは通常一致しており、このため、ボールの赤道の真上にはディンプルが形成することは困難であり、金型分割面にはディンプル形成用突起は突設されていないのが通例である。
【０００５】
また、金型分割面にディンプル形成用突起が突設された場合には、金型分割面の位置に多数設けられた射出ゲート内で硬化したゴルフボール成形材料を研磨等により削除する際、ディンプル形状が損なわれるおそれがある。更に、ディンプル形成用突起を分割面の位置に設けることは、金型の設計及び工作上コスト高となり、金型の工作作業に煩雑さを要する。
【０００６】
したがって、ディンプル形成用突起は、通常、金型分割面の位置を避けて設けられていることから、ディンプルを有さない帯状の陸部がボール赤道線に沿ってエンドレス形成される一方、ディンプル配列の連続性がボール赤道線により絶たれてしまい、ディンプルをボール表面全体に亘って連続的かつ密に形成することが困難となる。
【０００７】
このようなディンプル配列を有するゴルフボールを使用した場合、ゴルフクラブによりボールの打撃位置の違いによってボールの回転数が異なってしまう結果となる。例えば、ボールの両極を結ぶ軸を中心にボールを回転する場合と該中心軸と直交する向きに延出した軸を中心に回転する場合とでは飛距離が大きく相異するおそれがある。さらに、上記の飛距離の点以外にもボールの打撃位置によってはボールが左右に反れたりして方向安定性が十分に得られないという欠点がある。
【０００８】
本発明は、上記事情に鑑みなされたもので、ボールの打撃位置の違いに拘わらず飛距離の差を可及的に小さくすると共に、飛びのシンメトリー性及び飛距離に優れたゴルフボールを提供することを目的とする。
【０００９】
【課題を解決するための手段及び発明の実施の形態】
本発明者は、上記目的を達成するため、鋭意検討を行った結果、ボール表面に配置されるディンプルについて着目した結果、ボールの赤道面の中心を通り、かつボールの両極点を結んだ回転軸を中心に６０°、７２°、９０°１２０°、１８０°等の３６０／ｎ°（ｎは自然数）毎に対称になるようにボール表面の全ディンプルを配置したゴルフボールを作成し、このボールの打撃位置の違いに拘わらず飛距離の差が小さくなり、飛びのシンメトリー性も損なうこともなく十分な飛距離を得ることを知見し、本発明をなすに至ったものである。
【００１０】
従って、本発明は、下記のゴルフボールを提供するものである。
〔請求項１〕  ボール球面上に多数のディンプルを有するゴルフボールにおいて、直径及び／又は深さが異なるディンプルを２〜６種用い、その総数が３８２〜４２２個、ディンプルの表面占有率が７７．３６〜７９．００％、ディンプルの総容積が３０３〜３５０ｍｍ3の範囲であり、ボールの赤道面の中心を通り、かつボールの両極点を結んだ回転軸を中心として、ディプルが上記回転軸を中心にして６０°または１８０°回転対称に配置されると共に、該ディンプルと交差しない大円線が存在しないようにディンプルがボール表面上に配置されてなり、かつ一半球上のディンプルの一部が他半球側にはみ出すようにディンプルが形成され、そのはみ出し量が赤道面を基準にして上記ディンプルの直径の１０〜５０％の範囲内であることを特徴とするゴルフボール。
〔請求項２〕  ボールの両極点から赤道線までのボールの経線を孤としたとき、該孤を中心にして線対称にディンプルが配置された請求項１記載のゴルフボール。
〔請求項３〕 上記孤がボールの半球に６０°毎に配置されて合計６本有する請求項２記載のゴルフボール。
〔請求項４〕 上記赤道線と交差するディンプルの個数が４〜３２個である請求項１〜３のいずれか１項記載のゴルフボール。
〔請求項５〕 赤道線と交差するディンプル部分が、ボール成形に際し、ディンプルの縁に沿って凹凸に形成されたパーティングを有する分割金型により形成された請求項１〜４のいずれか１項記載のゴルフボール。
〔請求項６〕 ディンプルの直径が３．１０〜３．９５ｍｍであり、かつディンプルの深さが０．１３０〜０．１７０ｍｍである請求項１〜５のいずれか１項記載のゴルフボール。
〔請求項７〕 ボールの赤道線上に配置されるディンプル又は赤道線から上下３０°の範囲内にある赤道線近傍に配置されるディンプルは、他の区域における同じ直径のディンプルの深さよりも５〜６０μｍの範囲内で深く形成される請求項１〜６のいずれか１項記載のゴルフボール。
〔請求項８〕 ボールの赤道線から上下３０°の範囲内にある赤道線近傍に配置されるディンプルの容積が他のディンプルの容積よりも２〜３０％大きい請求項１〜７のいずれか１項記載のゴルフボール。
〔請求項９〕 コアにポリウレタンからなる樹脂カバーを被覆したツーピースソリッドゴルフボールである請求項１〜８のいずれか１項記載のゴルフボール。
〔請求項１０〕 コアとポリウレタンからなる樹脂カバーとの間に単層又は２以上の複合層の中間層を介在させた３層構造以上となるマルチピースソリッドゴルフボールである請求項１〜９のいずれか１項記載のゴルフボール。
【００１１】
以下、本発明について図面を用いて更に詳しく説明する。
図１は、本発明の第１実施例を示すものであり、極側から見たゴルフボールの平面図であり、図２は、図１のゴルフボールを赤道側から側面図である。
【００１２】
上記第１実施例のゴルフボールにおいては、直径が異なる複数種類のディンプルがボールの赤道面の中心を通り両極を結んだ直線（以下、「回転軸」という。）を中心として対称に配置されている。例えば、図１上に斜線で示されたディンプルＡ1〜Ａ6は、回転軸を中心とし、図示を省略してあるが同一緯線上に６０°の間隔ごとに配置されている。
【００１３】
このため、図２に示した回転軸を中心に、これらディンプルＡ1〜Ａ6は６０°回転軸対称の配置態様となる。なお、この場合、ディンプルＡ1とＡ4  Ａ2とＡ5Ａ3とＡ6  は図１上では平面視軸を中心として点対称関係にある（互いに１８０°異なる。）上記以外の別のディンプルとしては、例えば、Ｂ1〜Ｂ6  ，また赤道線と部分的に交わったディンプルＣの位置及びディンプルＤの位置についても上記ディンプルＡ1〜Ａ6と同様、回転軸対称に配置されている。本実施例においては、両極の位置に配置されたディンプルの例外を除き、総て６０°の回転軸対称に配置されている。
【００１４】
図３は、本発明の第２実施例を示すものであり、極側から見たゴルフボールの平面図であり、図４は、図３のゴルフボールを赤道側から側面図である。本実施例では、ディンプルが回転軸を中心にして７２°回転対称に配置されている。図３においては、例えば、ディンプルＡ1〜Ａ5は回転軸を中心に７２°ごとに回転対称に配置されている。他のディンプルＢ1〜Ｂ5を例にとっても同様である。本実施例においては両極の位置に配置されたデインプルを除き、図中符号Ｃ及びＤで示された赤道と部分的に交わるディンプルを含んだ総てのディンプルが７２゜度の回転軸対称に配置されてなるものである。
【００１５】
図５、６は、本発明の第３実施例を示すものであり、９０°間隔毎の孤によってボール球面を区分した態様を示したものである。また、図７、８は、本発明の第４実施例を示すものであり、１２０°間隔毎の孤によってボール球面を区分した態様を示したものである。さらに、図９、１０は、本発明の第５実施例を示すものであり、１８０°間隔毎の孤によってボール球面を区分した態様を示したものである。これらの実施態様の具体的な説明は省略する。
なお、孤によって区分する区域の角度の設定は、上述しいた数値以外にも適用することができる。
【００１６】
図１１は、本発明の第６実施例を示すものであり、極側から見たゴルフボールの平面図であり、図１２は、図１１のゴルフボールを赤道側から見た側面図である。本実施例では、ゴルフボールの極から経線方向に延出したボールの経線のうち、ボールの両極点から赤道線までの線分を孤としたとき、該孤を中心にして線対称に複数のディンプルが配置されている部分を含む点にある。図１１，１２に示した実施例においては３０°間隔毎の孤によってボール球面を区分し、例えば、ディンプルＥ１、Ｅ２については、図１１上において極を通り上下方向に延出した孤に関しては互いに近接する線対称に位置し、３０°異なる隣り合った孤に関しては、ある程度の距離を置いた状態で線対称にディンプルＥ１とＥ２とが位置している。このように、ディンプルＥ１とＥ２とは、ボールの緯線に沿って狭／広／狭／広の関係をもって孤に対して線対称に配置されている。また、極から赤道の方向に向けて大きく離れて位置するディンプルＦ１とＦ２も孤に対して線対称に位置し、緯線に沿って周上３０°毎の間隔をもって、狭／広／狭／広の関係で線対称に配置されている。ディンプルＥ１及びＥ２、Ｆ１及びＦ２は、図１２に示すように、ボールの上半分（北半球）のみならず、下半分（南半球）においても上記孤を中心とする線対称な配置である。また、図１２中のボールの赤道線上に配置されたディンプルＧは、赤道線によって上下に２等分されている。なお、Ｅ１，Ｅ２及びＦ１，Ｆ２は中心軸に関して回転軸対称の関係を維持する点については前述した実施例と同様である。
【００１７】
図１３は、本発明の第７実施例を示すものであり、極側から見たゴルフボールの平面図であり、図１４は、図１３のゴルフボールを赤道側から側面図である。本実施例では、ディンプルが回転軸を中心にして３６°回転対称に配置されている孤に関し、例えば、ディンプルＥ１とＥ２の対、及びこれより若干赤道線寄りのディンプルＦ１とＦ２の対が緯線（図示せず）に沿って互いに、前記実施例と同様、狭／広／狭／広の関係の下に孤を夫々に中心として線対称に配置されている。そして、ボール赤道と部分的に交わるディンプルＨ１とＨ２の対、及びＩ１とＩ２の対についても同様に孤を夫々中心として線対称の関係を維持して赤道線に沿って３６°間隔毎に、狭／広／狭／広の繰り返しで配置されている。なお、本実施例では、ボールの北半球と南半球とでは３６°緯線に沿って位相をずらしたディンプル配置が採用されている。
【００１８】
図１５は、本発明の第８実施例を示すものであり、極側から見たゴルフボールの平面図であり、図１６は、図１５のゴルフボールを赤道側から側面図である。本実施例では、ディンプルが回転軸を中心にして４５°回転対称に配置されている孤に関し、例えば、ディンプルＥ１とＥ２の対、及びこれより若干赤道線寄りのディンプルＦ１とＦ２の対が緯線（図示せず）に沿って互いに、狭／広／狭／広の関係の下に孤を夫々に中心として線対称に配置されている。また、図中のボールの赤道線上に配置されたディンプルは、上記第６実施例と同様、赤道線によって上下に２等分されている。なお、本実施例においては、ボールの北半球と南半球とが赤道線を中心にして線対称になっている配列態様である。
【００１９】
図１７は、本発明の第９実施例を示すものであり、極側から見たゴルフボールの平面図であり、図１８は、図１７のゴルフボールを赤道側から側面図である。本実施例では、ディンプルが回転軸を中心にして６０°回転対称に配置されている孤に関し、例えば、ディンプルＥ１とＥ２の対、及びディンプルＦ１とＦ２の対が孤を中心として夫々線対称に配置されている。また、図中符号ＨとＩで示したディンプルは、赤道線と部分的に交差しており、赤道線によって均一に分断されていない。
【００２０】
図１９は、本発明の第１０実施例を示すものであり、極側から見たゴルフボールの平面図であり、図２０は、図１９のゴルフボールを赤道側から側面図である。本実施例では、ディンプルが回転軸を中心にして９０°回転対称に配置されている孤に関し、例えば、ディンプルＥ１とＥ２の対、及びディンプルＦ１とＦ２の対が孤を中心として夫々線対称に配置されている。また、図中のボールの赤道線上に配置されたディンプルは、上記実施例６と同様に、赤道線によって上下に均一に２等分されている。なお、本実施例においては、ボールの北半球と南半球とが赤道線を中心にして線対称になっている配置態様である。
【００２１】
なお、本発明のゴルフボールでは、上述した第１〜第１０実施例に限定されることなく、上記回転軸を中心とした対称角度、北半球と南半球の位相角度、ディンプルの種類，数及びパターン等を適宜設定することができる。
【００２２】
ここで、本発明においては、ディンプル種として、直径２〜５ｍｍ、深さ０．０７〜０．２５ｍｍの範囲、１種類又は直径及び／又は深さが異なる２〜６種のディンプルを用いることが好適である。ボール球面上へのディンプル配置については、ディンプルと交差しない大円線が１本も存在しないように配置するものたである。ボールを成形する２分割型金型を用いた場合、通常、金型の分割面にはディンプル形成用突起が形成されないので該金型のキャビテイーにてゴルフボールカバー材料により成形されたボールの赤道線（大円線の１つ）上にはディンプルが１個も存在しなものである。しかしながら、本発明では、ディンプルと交差しない大円線が１本も存在しないように配置されるものであるから、金型の分割面に相当するボールの赤道線上においてもディンプルが存在することとなるものである。
【００２３】
また、ボール表面にディンプルが存在しないと仮定したときのボール球面全体の表面積に対するデインプル占有面積（ディンプルの総面積）の割合は、６５〜８５％の範囲とすることが好ましく、この範囲設定により、飛距離を十分に大きくすることができる。なお、上記デインプル占有面積は、１個のディンプルが陸部と交わる位置（ディンプルの陵）で囲まれた円の面積を１個あたりのディンプル面積とし、これにディンプル総数を掛け合わせたものである。
【００２４】
更に、ディンプルの縁部によって囲まれた平面から下方に形成されるディンプル容積を全ディンプルについて加算したディンプル総容積は、２８０〜４００ｍｍ3の範囲であることが好ましい。総容積が２８０ｍｍ3に満たないとき又は３５０ｍｍ3を超える場合には、ドライバー等による打撃後のボール弾道が高くなり過ぎたり低くなり過ぎてしまい、良好な弾道形態が得られなくなるおそれある。
【００２５】
本発明において、ボールの赤道線上に配置されるデインプル（赤道線によってディンプルが２分断されたもののほかに、赤道線を越えてディンブルの一部が他の半球内へはみ出したディンプルも含まれる。）の個数については、４〜３２個の範囲とすることが好ましい。なお、ボールの赤道線上に配置されるディンプル又は赤道線から上下３０°の範囲内にある赤道線近傍に配置されるディンプルの深さについては、他の区域における同じ直径のディンプルの深さよりも５〜６０μｍの範囲内で深くすることが好ましい。その結果、ディンプル容積も２〜３０％大きくなる。このように上記所定範囲内のディンプルを通常よりも深く形成する理由としては、赤道線がカバー成形金型の分割面に相当し、この分割面上に圧入ゲート内で硬化したカバー成形材料のバリが研磨し除去されるので、その際に赤道線に沿って配置されたディンプルの深さが浅くなるおそれがあるのでこれを防ぐことが理由の１つである。
【００２６】
本発明に用いられるディンプルの形状については、本発明の要旨を変更しない限り、特に制限されるものではなく、円形、楕円形のみならず、例えば、多角形、菱形又はこれらの形状を組み合わせて用いることができる。
【００２７】
本発明のゴルフボールは、上述したように、ボール表面に形成されるディンプの配置態様に特徴があるが、ゴルフボールの種類，構造及び材料等については、特に制限はない。例えば、ボール全体が単一の弾性材料からなる１ピースソリッドゴルフボール、中心部にゴム等の弾性材料を備えたコアを用い、該コアにアイオノマー樹脂やポリウレタン等からなる樹脂カバーを被覆した２ピースソリッドゴルフボール、更には、コアとカバーとの間に単層又は２以上の複合層の中間層を介在させた３層構造以上となるマルチピースソリッドゴルフボール、その他糸巻きゴルフボール等として本発明ゴルフボールは構成される。
【００２８】
また、本発明のゴルフボールを製造する際、特にカバー材料の射出成形に際しては公知の２分割型金型を使用することができる。この２分割型金型は、ディンプルをボール表面に型付けるための多数のデンプル形成用突起が内壁面に有した球状キャビティーを有し、この球状キャビティーの赤道面が金型の分割面に相当するものである。例えば、図２のゴルフボールにおいて、ディンプルＣ及びＤがボールの北半球側から南半球側に、また南半球側から北半球側にはみ出したディンプルを有する金型においては、ディンプルＣ及びＤを形付けるディンプル形成用突起が南半球及び北半球側にはみ出すこととなり、このはみ出し形状の凹凸部が金型の分割面に形成されるものである。このように、図２に示したボールを製造する金型の分割面では、ディンプルＣ及びＤの部分はディンプルのはみ出し形状に相応して凹凸形状に形成されると共に、それ以外の赤道区域は赤道線に沿って直線状に形成されている。ディンプル図１２のゴルフボールについても上記と同様に該ボールを製造する金型の分割面は、ボール赤道線上でディンプルが２等分されるように凹凸形状を有している。なお、ディンプル形成用突起のはみ出し量は赤道面を基準としてディンプルの直径の１０〜５０％の範囲内とすることが好ましい。
【００２９】
上記金型にて射出成形する際のカバー材料としては、公知のカバー樹脂材料を用いることができ、また、金型に使用される射出ゲートは、断面積が１個あたり０．２〜２．０ｍｍのものを計４〜２０個設けると共に、キャビティーの赤道線上に位置する部位に連結してキャビティーの中心に向かって放射状に設置することができる。
【００３０】
本発明のゴルフボール（完成品）では、平板上において９８Ｎ（１０ｋｇｆ）負荷した状態から１２７５Ｎ（１３０ｋｇｆ）荷重を増加させた時に生じる歪量は２．４〜３．５ｍｍの範囲であることが望ましい。
【００３１】
また、本発明におけるゴルフボールでは、入射速度が４３ｍ／ｓのときのＣ．Ｏ．Ｒ値が０．７７〜０．８３の範囲内であることが望ましい。ここで、Ｃ．Ｏ．Ｒ値とは鉄鋼板（ボールが衝突しても変形しない）に対しボールを衝突させた場合、衝突前の速度（入射速度）に対する衝突後のボールの速度比のことをいい、その値は１に近いほど反発性が高いことを意味するものである。
【００３２】
【発明の効果】
本発明のゴルフボールによれば、飛距離及び飛びの均一性に優れたものである。
【００３３】
【実施例】
以下、本発明の実施例及び比較例を示し、本発明を具体的に説明するが、本発明は、下記実施例に制限されるものではない。
【００３４】
〔実施例１〜１０、比較例１〕
実施例及び比較例のゴルフボールでは、単一層のゴム製コア、中間層としてアイオノマー樹脂にオレフィン系エラストマーとを加えた組成物を用いる。また、カバーとしては、ポリウレタンエラストマーを使用してなる３層のソリッド構造を共通して用いた。なお、全ての実施例及び比較例では、中間層の厚さは１．６５ｍｍ、ボール球面上で測定した中間層のショアＤ硬度は６１であり、カバーの厚さは１．５ｍｍ、ボール球面の陸部で測定したカバーのショアＤ硬度は５８であった。
【００３５】
本実施例及び比較例で用いられたディンプルの配列及びディンプルの構造については表１に示した。また、各実施例及び比較例のテスト及び結果を表２に示した。なお、比較例のディンプル配置を図２１（平面図）及び図２２（側面図）を示す。比較例では、正８面体ディンプル配列であり、三角形ユニットの３辺を連ねた３個の大円上にはディンプルのないエンドレスの陸部を形成している。
【００３６】
飛び性能テストにあたっては、打撃マシンにドライバー（Ｗ＃１）を装着し、打出し時において初速６７ｍ／ｓ、打出角１０°の条件でボールを１０回打撃したときのキャリー及びトータル（ｍ）の平均値を測定した。結果を表２に示した。
【００３７】
また、飛び均一性のテストでは、上記飛び性能テストと同じ条件で１０回打撃し、その場合の弾道の均一性として仰角のばらつき（最大と最小の角度差）を測定し、０．３°以内のばらつきを均一性があるものとして○印の評価をした。結果を表２に示した。
【００３８】
【表１】
0003981809.tif 000002
【００３９】
【表２】
0003981809.tif 000003
【００４０】
上記表２のテスト結果より、本実施例１〜１０は、飛距離が大きく、飛びの均一性も良好に得られることが分かる。これに対して、比較例のゴルフボールでは、仰角のぱらつきが１．０°（×印の評価）となり、飛び均一性が十分なものとは言えなかった。
【００４１】
【図面の簡単な説明】
【図１】本発明の第１実施例に係るゴルフボールを極側からみた平面図である。
【図２】図１のゴルフボールを赤道側からみた側面図である。
【図３】本発明の第２実施例に係るゴルフボールを極側からみた平面図である。
【図４】図３のゴルフボールを赤道側からみた側面図である。
【図５】本発明の第３実施例に係るゴルフボールを極側からみた平面図である。
【図６】図５のゴルフボールを赤道側からみた側面図である。
【図７】本発明の第４実施例に係るゴルフボールを極側からみた平面図である。
【図８】図７のゴルフボールを赤道側からみた側面図である。
【図９】本発明の第５実施例に係るゴルフボールを極側からみた平面図である。
【図１０】図９のゴルフボールを赤道側からみた側面図である。
【図１１】本発明の第６実施例に係るゴルフボールを極側からみた平面図である。
【図１２】図１１のゴルフボールを赤道側からみた側面図である。
【図１３】本発明の第７実施例に係るゴルフボールを極側からみた平面図である。
【図１４】図１３のゴルフボールを赤道側からみた側面図である。
【図１５】本発明の第８実施例に係るゴルフボールを極側からみた平面図である。
【図１６】図１５のゴルフボールを赤道側からみた側面図である。
【図１７】本発明の第９実施例に係るゴルフボールを極側からみた平面図である。
【図１８】図１７のゴルフボールを赤道側からみた側面図である。
【図１９】本発明の第１０実施例に係るゴルフボールを極側からみた平面図である。
【図２０】図１９のゴルフボールを赤道側からみた側面図である。
【図２１】比較例のゴルフボールを極側からみた側面図である。
【図２２】同例の本発明の第７実施例に係るゴルフボールを極側からみた平面図である。
【符号の説明】
Ａ〜Ｈ  ディンプル
Ｐ      極
【図１】
0003981809.tif 000004
【図２】
0003981809.tif 000005
【図３】
0003981809.tif 000006
【図４】
0003981809.tif 000007
【図５】
0003981809.tif 000008
【図６】
0003981809.tif 000009
【図７】
0003981809.tif 000010
【図８】
0003981809.tif 000011
【図９】
0003981809.tif 000012
【図１０】
0003981809.tif 000013
【図１１】
0003981809.tif 000014
【図１２】
0003981809.tif 000015
【図１３】
0003981809.tif 000016
【図１４】
0003981809.tif 000017
【図１５】
0003981809.tif 000018
【図１６】
0003981809.tif 000019
【図１７】
0003981809.tif 000020
【図１８】
0003981809.tif 000021
【図１９】
0003981809.tif 000022
【図２０】
0003981809.tif 000023
【図２１】
0003981809.tif 000024
【図２２】
0003981809.tif 000025